(57)【要約】【課題】吸収容量が大きく、かつ、臀部等に入り込ませやすい吸収体を備えた吸収性物品等を提供する。【解決手段】吸収性物品本体と、前記吸収性物品本体に長手方向に沿って重ねて設けられた吸収体と、を有し、前記吸収体は、前記吸収性物品本体と対向する対向側の部位より、前記吸収性物品本体と対向しない反対向側の部位の方が、前記長手方向と交差する方向において伸長し易い。【選択図】図７
2008228806.tif 000002
【特許請求の範囲】
【請求項１】
吸収性物品本体と、
前記吸収性物品本体に長手方向に沿って重ねて設けられた吸収体と、を有し、
前記吸収体は、前記吸収性物品本体と対向する対向側の部位より、前記吸収性物品本体と対向しない反対向側の部位の方が、前記長手方向と交差する方向において伸長し易いことを特徴とする吸収性物品。
【請求項２】
請求項１に記載の吸収性物品であって、
前記吸収体は、前記吸収性物品本体に、前記長手方向における一方の端部が剥離不能に接合されていることを特徴とする吸収性物品。
【請求項３】
請求項１に記載の吸収性物品であって、
前記吸収体は、前記吸収性物品本体に、前記長手方向における一方の端部が剥離可能に接合されていることを特徴とする吸収性物品。
【請求項４】
請求項１乃至請求項３のいずれかに記載の吸収性物品であって、
前記吸収体は、前記吸収性物品本体に、前記長手方向における他方の端部が剥離可能に仮接合されていることを特徴とする吸収性物品。
【請求項５】
請求項１乃至請求項４のいずれかに記載の吸収性物品であって、
前記吸収体は、液体を吸収するための吸収部材と、前記吸収部材を包むシート材とを有し、前記シート材は、前記対向側にて重ねられて接着されていることを特徴とする吸収性物品。
【請求項６】
請求項１乃至請求項５のいずれかに記載の吸収性物品であって、
前記吸収体は、前記吸収部材の厚みを薄くした薄肉部が前記長手方向に沿って設けられていることを特徴とする吸収性物品。
【請求項７】
請求項６に記載の吸収性物品であって、
前記薄肉部は、前記長手方向の全領域のうち、前記他方の端部側に偏らせて設けられていることを特徴とする吸収性物品。
【請求項８】
請求項６または請求項７に記載の吸収性物品であって、
前記薄肉部は、前記長手方向と交差する幅方向の中央に設けられていることを特徴とする吸収性物品。
【請求項９】
請求項１乃至請求項８のいずれかに記載の吸収性物品であって、
前記シート材には、前記長手方向と交差する幅方向に伸長される皺が設けられており、前記皺が設けられている領域は、前記幅方向において、前記対向側の部位より前記反対向側の部位の方が広いことを特徴とする吸収性物品。
【請求項１０】
請求項１乃至請求項９のいずれかに記載の吸収性物品であって、
前記吸収体には、液体の漏れを防止するための防漏シートが設けられており、
前記防漏シートが設けられている領域は、前記幅方向において、前記反対向側の部位より前記対向側の部位の方が広いことを特徴とする吸収性物品。
【請求項１１】
請求項１０に記載の吸収性物品であって、
前記防漏シートは、前記シート材とともに接着されていることを特徴とする吸収性物品。
【請求項１２】
請求項５乃至請求項１１のいずれかに記載の吸収性物品であって、
前記シート材の前記反対向側における幅方向の５％伸度強度は、前記対向側における幅方向の５％伸度強度に対し８０％以下であることを特徴とする吸収性物品。
【請求項１３】
請求項５乃至請求項１２のいずれかに記載の吸収性物品であって、
前記シート材の前記反対向側における幅方向の５％伸度強度は、３Ｎ／２５ｍｍ未満であることを特徴とする吸収性物品。
【請求項１４】
請求項１乃至請求項１３のいずれかに記載の吸収性物品であって、
前記吸収性物品本体は、前記吸収体と異なる他の吸収体を備えていることを特徴とする吸収性物品。
【請求項１５】
請求項１乃至請求項１４のいずれかに記載の吸収性物品であって、
前記吸収体は、身体の溝に沿わされることにより、山折状に変形されることを特徴とする吸収性物品。  
【請求項１６】
吸収性物品本体に長手方向に沿って重ねて装着可能な吸収体であって、
前記吸収性物品本体と対向する対向側の部位より、前記吸収性物品本体と対向しない反対向側の部位の方が、前記長手方向と交差する方向において伸長し易いことを特徴とする吸収体。
【請求項１７】
請求項１６に記載の吸収体であって、
前記吸収性物品本体には、前記長手方向における一方の端部が剥離不能に接合されて装着されることを特徴とする吸収体。
【請求項１８】
請求項１６または請求項１７に記載の吸収体であって、
液体を吸収するための吸収部材と、前記吸収部材を包むシート材とを有し、
前記シート材は、前記対向側にて重ねられて接着されていることを特徴とする吸収体。
【請求項１９】
請求項１６乃至請求項１８のいずれかに記載の吸収体であって、
前記吸収部材の厚みを薄くした薄肉部が前記長手方向に沿って設けられていることを特徴とする吸収体。
【請求項２０】
請求項１９に記載の吸収体であって、
前記薄肉部は、前記長手方向の全領域のうち、前記他方の端部側に偏らせて設けられていることを特徴とする吸収体。
【請求項２１】
請求項１９または請求項２０に記載の吸収体であって、
前記薄肉部は、前記長手方向と交差する幅方向の中央に設けられていることを特徴とする吸収体。
【請求項２２】
請求項１８乃至請求項２１のいずれかに記載の吸収体であって、
前記シート材には、前記長手方向と交差する幅方向に伸長される皺が設けられており、前記皺が設けられている領域は、前記幅方向において、前記対向側の部位より前記反対向側の部位の方が広いことを特徴とする吸収体。
【請求項２３】
請求項１６乃至請求項２２のいずれかに記載の吸収体であって、
液体の漏れを防止するための防漏シートが設けられており、
前記防漏シートが設けられている領域は、前記幅方向において、前記反対向側の部位より前記対向側の部位の方が広いことを特徴とする吸収体。
【請求項２４】
請求項２３に記載の吸収体であって、
前記防漏シートは、前記シート材とともに接着されていることを特徴とする吸収体。
【請求項２５】
請求項１８乃至請求項２４のいずれかに記載の吸収体であって、
前記シート材の前記反対向側における幅方向の５％伸度強度は、前記対向側における幅方向の５％伸度強度に対し８０％以下であることを特徴とする吸収体。
【請求項２６】
請求項１８乃至請求項２５のいずれかに記載の吸収体であって、
前記シート材の前記反対向側における幅方向の５％伸度強度は、３Ｎ／２５ｍｍ未満であることを特徴とする吸収体。
【請求項２７】
請求項１６乃至請求項２６のいずれかに記載の吸収体であって、
身体の溝に沿わされることにより、山折状に変形されることを特徴とする吸収体。
【発明の詳細な説明】
【技術分野】
【０００１】
本発明は、液体を吸収するための吸収性物品、及び、吸収体に関する。
【背景技術】
【０００２】
従来、経血などの所定の液体を吸収する吸収性物品として、液体を吸収する吸収体を、吸収保持体の表面に長手方向に沿わせて配置するとともに部分的に接合させた吸収性物品が知られている（例えば、特許文献１参照）。このような吸収性物品は、吸収体を、その長手方向が人体の前後方向に沿うように配し、当該吸収体が人体の臀部等の溝に入り込むように吸収体の後端部を引き上げ、吸収体を臀部等の溝に挟み込んで使用する。
【特許文献１】特開２００２−１５９５３４号公報
【発明の開示】
【発明が解決しようとする課題】
【０００３】
上記のような従来の吸収性物品は、吸収体を臀部等に入り込ませて使用するため、吸収体の長手方向と交差する方向の長さ、すなわち吸収体の幅を狭くすることが望ましい。しかしながら、吸収体はより多くの液体を吸収することが要求されるため、吸収体自身は大きい方が望ましい。また、幅が狭い吸収体は使用者に吸収容量に対する不安感を与える畏れがある。このため、吸収容量が大きく、臀部等に入り込ませやすい吸収体を備えた吸収性物品の提供が望まれている。
【０００４】
本発明は、上記のような従来の問題に鑑みなされたものであって、吸収容量が大きく、かつ、臀部等に入り込ませやすい吸収体を備えた吸収性物品、及び、吸収体を提供することを目的とする。
【課題を解決するための手段】
【０００５】
上記のような課題を解決するために、主たる本発明は、吸収性物品本体と、前記吸収性物品本体に長手方向に沿って重ねて設けられた吸収体と、を有し、前記吸収体は、前記吸収性物品本体と対向する対向側の部位より、前記吸収性物品本体と対向しない反対向側の部位の方が、前記長手方向と交差する方向において伸長し易いことを特徴とする吸収性物品である。
【発明の効果】
【０００６】
本発明によれば、吸収容量が大きく、かつ、臀部等に入り込ませやすい吸収体を備えた吸収性物品、及び、吸収体を提供することが可能である。
【発明を実施するための最良の形態】
【０００７】
本明細書及び図面には、少なくとも次の事項が開示されている。
【０００８】
吸収性物品本体と、前記吸収性物品本体に長手方向に沿って重ねて設けられた吸収体と、を有し、前記吸収体は、前記吸収性物品本体と対向する対向側の部位より、前記吸収性物品本体と対向しない反対向側の部位の方が、前記長手方向と交差する方向において伸長し易いことを特徴とする吸収性物品である。  
このような吸収性物品によれば、吸収体の吸収性物品本体と対向しない反対向側の部位を、吸収性物品本体と対向する対向側の部位より伸長し易くすることにより吸収体を反対向側に突出するような山形状に屈曲させることが可能である。このため、吸収体を長手方向と交差する幅方向に広く形成することにより吸収容量を大きくし、かつ、反対向側に突出するような山形状に屈曲させることにより吸収体の幅を容易に狭くすることが可能である。そして、吸収性物品の使用時には吸収体を山形状に屈曲させて容易にかつ確実に臀部の溝に入り込ませることが可能である。また、使用前の吸収体は、屈曲されていないほぼ平坦に広げた状態が維持されているので、幅が広い吸収体が露出され、使用者に吸収容量に対する安心感を与えることが可能である。
【０００９】
かかる吸収性物品であって、前記吸収体は、前記吸収性物品本体に、前記長手方向における一方の端部が剥離不能に接合されていることが望ましい。  
このような吸収性物品によれば、吸収体の一方の端部が本接合されているので、他方の端部側を吸収性物品本体から離した状態で使用することが可能な吸収性物品を製造することが可能である。このため、吸収体を吸収性物品本体から分離させて臀部の溝に入り込ませて使用する吸収性物品により適している。
【００１０】
かかる吸収性物品であって、前記吸収体は、前記吸収性物品本体に、前記長手方向における一方の端部が剥離可能に接合されていることとしてもよい。  
このような吸収性物品によれば、必要に応じて、吸収性物品本体と吸収体とを接合した状態で装着したり、吸収体を吸収性物品本体から取り外した状態で装着することを選択することが可能である。例えば、吸収すべき液体が多い場合には、吸収性物品本体と吸収体とを接合した状態で吸収体を臀部の溝に入り込ませて使用し、吸収すべき液体が少ない場合には、吸収性物品本体から吸収体を外した状態で吸収性物品本体のみを使用することが可能である。このため、吸収すべき液体の量に対応すべく複数種類の吸収性物品を備えることなく単一の吸収性物品にて対応させることが可能である。
【００１１】
かかる吸収性物品であって、前記吸収体は、前記吸収性物品本体に、前記長手方向における他方の端部が剥離可能に仮接合されていることが望ましい。  
このような吸収性物品によれば、吸収体の他方の端部が仮接合されているので、吸収体が所定の位置に配置され、ねじれることなく、平坦に開かれた状態で使用者に供給することが可能である。そして、仮接合されている、吸収体の他方の端部を吸収性物品本体から容易に剥離させて、吸収体が他方の端部のみで吸収性物品本体と接合された状態とすることが可能であり、他方の端部側を吸収性物品本体から離した状態で使用することが可能な吸収性物品を提供することが可能である。
【００１２】
かかる吸収性物品であって、前記吸収体は、液体を吸収するための吸収部材と、前記吸収部材を包むシート材とを有し、前記シート材は、前記対向側にて重ねられて接着されていることが望ましい。  
このような吸収性物品によれば、吸収性物品本体と対向する対向側は、吸収部材が包まれたシート部材が重ねられて接着されているので、反対向側より剛性が高く伸縮性が小さくなる。このため、吸収部材をシート部材にて包むだけで、吸収体を、反対向側を突とする山形状に屈曲し易い構成とすることが可能である。
【００１３】
かかる吸収性物品であって、前記吸収体は、前記吸収部材の厚みを薄くした薄肉部が前記長手方向に沿って設けられていることが望ましい。  
このような吸収性物品によれば、吸収体には、吸収部材の厚みを薄くした薄肉部が長手方向に沿って設けられているので、吸収体が臀部等に押圧された際には、吸収体を臀部の溝に沿って薄肉部にて屈曲させ吸収体の幅をより容易に狭く変形させることが可能である。
【００１４】
かかる吸収性物品であって、前記薄肉部は、前記長手方向の全領域のうち、前記他方の端部側に偏らせて設けられていることが望ましい。  
このような吸収性物品によれば、吸収体の長手方向の全領域のうち、一方の端部側より他方の端部側の幅を狭く変形させることが可能である。そして、吸収体の臀部に入り込ませる部位は、他方の端部側なので、薄肉部が他方の端部側に配置されていることにより、吸収体を臀部の溝に確実に入り込ませることが可能である。
【００１５】
かかる吸収性物品であって、前記薄肉部は、前記長手方向と交差する幅方向の中央に設けられていることが望ましい。  
このような吸収性物品によれば、吸収体を幅方向における中央にて屈曲させることが可能であり、吸収体が幅方向にバランス良く屈曲されるので、液体をより効率よく吸収させることが可能である。
【００１６】
かかる吸収性物品であって、前記シート材には、前記長手方向と交差する幅方向に伸長される皺が設けられており、前記皺が設けられている領域は、前記幅方向において、前記対向側の部位より前記反対向側の部位の方が広いことが望ましい。  
このような吸収性物品によれば、シート材には、長手方向と交差する幅方向に伸長される皺が吸収性物品本体と対向する対向側より、吸収性物品本体と対向しない反対向側において、より広い領域に設けられているので、吸収性物品の反対向側を対向側より伸長し易くすることが可能であり、反対向側に突となるように容易に屈曲させることが可能である。
【００１７】
かかる吸収性物品であって、前記吸収体には、液体の漏れを防止するための防漏シートが設けられており、前記防漏シートが設けられている領域は、前記幅方向において、前記反対向側の部位より前記対向側の部位の方が広いことが望ましい。  
このような吸収性物品によれば、吸収体には、対向側の部位より反対向側の部位の方が広い領域に防漏シートが設けられているので、防漏シートにより伸縮し難い対向側より反対向側を伸長し易くすることが可能であり、反対向側に突となるようにより容易に屈曲させることが可能である。
【００１８】
かかる吸収性物品であって、前記防漏シートは、前記シート材とともに接着されていることが望ましい。  
このような吸収性物品によれば、吸収体の対向側の部位より反対向側の部位の方の広い領域に設けられている防漏シートがシート部材とともに接着されているので、吸収性物品の反対向側を対向側より、さらに伸長し易くすることが可能であり、反対向側に突となるようにより屈曲させ易い構成とすることが可能である。
【００１９】
かかる吸収性物品であって、前記シート材の前記反対向側における幅方向の５％伸度強度は、前記対向側における幅方向の５％伸度強度に対し８０％以下であることが望ましい。  
このような吸収性物品によれば、シート材の反対向側における幅方向の５％伸度強度を、対向側における幅方向の５％伸度強度に対し８０％以下とすることにより、吸収体を反対向側に突出するような山形状に、より容易に屈曲させることが可能である。
【００２０】
かかる吸収性物品であって、前記シート材の前記反対向側における幅方向の５％伸度強度は、３Ｎ／２５ｍｍ未満であることが望ましい。  
このような吸収性物品によれば、シート材の反対向側における幅方向の５％伸度強度を、３Ｎ／２５ｍｍ未満とすることにより、吸収体をさらに反対向側に突出するような山形状に、より容易に屈曲させることが可能である。
【００２１】
かかる吸収性物品であって、前記吸収性物品本体は、前記吸収体と異なる他の吸収体を備えていることが望ましい。  
このような吸収性物品によれば、吸収性物品本体にも吸収体が備えられているので、吸収体が２層となり、より吸収性の高い吸収性物品を提供することが可能である。
【００２２】
かかる吸収性物品であって、前記吸収体は、身体の溝に沿わされることにより、山折状に変形されることが望ましい。  
このような吸収性物品によれば、山折状に変形された吸収体を、身体の溝に沿わせて容易に入り込ませることが可能である。
【００２３】
また、吸収性物品本体に長手方向に沿って重ねて装着可能な吸収体であって、前記吸収性物品本体と対向する対向側の部位より、前記吸収性物品本体と対向しない反対向側の部位の方が、前記長手方向と交差する方向において伸長し易いことを特徴とする吸収体である。  
このような吸収体によれば、吸収性物品本体と対向しない反対向側の部位を、吸収性物品本体と対向する対向側の部位より伸長し易くすることにより、反対向側に突出するような山形状に屈曲させることが可能な吸収体を実現することが可能である。このため、吸収体は、長手方向と交差する幅方向に広く形成することにより吸収容量を大きくし、かつ、反対向側に突出するような山形状に屈曲させることにより幅を容易に狭くすることが可能である。そして、使用時には吸収体を山形状に屈曲させて容易にかつ確実に臀部の溝に入り込ませることが可能である。また、使用前には、屈曲されていないほぼ平坦に広げた状態が維持されているので、幅が広い吸収体が露出され、使用者に吸収容量に対する安心感を与えることが可能である。
【００２４】
かかる吸収体であって、前記吸収性物品本体には、前記長手方向における一方の端部が剥離不能に接合されて装着されることが望ましい。  
このような吸収体によれば、装着される際には、一方の端部が吸収性物品本体に接合されて吸収性物品から離れにくいので、吸収性物品本体と重ねて装着しやすい吸収体を実現することが可能である。また、他方の端部側は吸収性物品本体から離した状態で使用することが可能なので、他方の端部側を吸収性物品本体から分離させて臀部の溝に入り込ませて使用する吸収体としてより適している。
【００２５】
かかる吸収体であって、液体を吸収するための吸収部材と、前記吸収部材を包むシート材とを有し、前記シート材は、前記対向側にて重ねられて接着されていることが望ましい。  
このような吸収体によれば、吸収性物品本体と対向する対向側は、吸収部材が包まれたシート部材が重ねられて接着されているので、反対向側より剛性が高く伸縮性が小さくなる。このため、吸収部材をシート部材にて包むだけで、反対向側を突とする山形状に屈曲し易い吸収体を実現することが可能である。
【００２６】
かかる吸収体であって、前記吸収部材の厚みを薄くした薄肉部が前記長手方向に沿って設けられていることが望ましい。  
このような吸収体によれば、吸収部材の厚みを薄くした薄肉部が長手方向に沿って設けられているので、臀部等に押圧された際には、臀部の溝に沿って薄肉部にて屈曲させ、幅をより狭く容易に変形させることが可能である。
【００２７】
かかる吸収体であって、前記薄肉部は、前記長手方向の全領域のうち、前記他方の端部側に偏らせて設けられていることが望ましい。  
このような吸収体によれば、長手方向の全領域のうち、一方の端部側より他方の端部側の幅を狭く変形させることが可能である。そして、臀部に入り込ませる部位は、他方の端部側となるので、薄肉部が他方の端部側に配置されていることにより、臀部の溝に確実に入り込ませることが可能な吸収体を実現することが可能である。
【００２８】
かかる吸収体であって、前記薄肉部は、前記長手方向と交差する幅方向の中央に設けられていることが望ましい。  
このような吸収体によれば、幅方向における中央にて屈曲させることが可能であり、吸収体が幅方向にバランス良く屈曲されるので、液体を屈曲部から幅方向の両側に効率よく吸収させることが可能である。
【００２９】
かかる吸収体であって、前記シート材には、前記長手方向と交差する幅方向に伸長される皺が設けられており、前記皺が設けられている領域は、前記幅方向において、前記対向側の部位より前記反対向側の部位の方が広いことが望ましい。  
このような吸収体によれば、シート材には、長手方向と交差する幅方向に伸長される皺が吸収性物品本体と対向する対向側より、吸収性物品本体と対向しない反対向側において、より広い領域に設けられているので、吸収性物品の反対向側を対向側より伸長し易くすることが可能であり、反対向側に突となるように容易に屈曲させることが可能である。
【００３０】
かかる吸収体であって、液体の漏れを防止するための防漏シートが設けられており、前記防漏シートが設けられている領域は、前記幅方向において、前記反対向側の部位より前記対向側の部位の方が広いことが望ましい。  
このような吸収体によれば、対向側の部位より反対向側の部位の方が広い領域に防漏シートが設けられているので、防漏シートにより伸縮し難い対向側より反対向側を伸長し易くすることが可能であり、反対向側に突となるようにより容易に屈曲させることが可能である。
【００３１】
かかる吸収体であって、前記防漏シートは、前記シート材とともに接着されていることが望ましい。  
このような吸収体によれば、対向側の部位より反対向側の部位の方の広い領域に設けられている防漏シートがシート部材とともに接着されているので、吸収性物品の反対向側を対向側より、さらに伸長し易くすることが可能であり、反対向側に突となるようにより屈曲させ易い構成とすることが可能である。
【００３２】
かかる吸収体であって、前記シート材の前記反対向側における幅方向の５％伸度強度は、前記対向側における幅方向の５％伸度強度に対し８０％以下であることが望ましい。  
このような吸収体によれば、シート材の反対向側における幅方向の５％伸度強度を、対向側における幅方向の５％伸度強度に対し８０％以下とすることにより、反対向側に突出するような山形状に、より容易に屈曲させることが可能である。
【００３３】
かかる吸収体であって、前記シート材の前記反対向側における幅方向の５％伸度強度は、３Ｎ／２５ｍｍ未満であることが望ましい。  
このような吸収体によれば、シート材の反対向側における幅方向の５％伸度強度を、３Ｎ／２５ｍｍ未満とすることにより、さらに反対向側に突出するような山形状に、より容易に屈曲させることが可能である。
【００３４】
かかる吸収体であって、身体の溝に沿わされることにより、山折状に変形されることが望ましい。  
このような吸収体によれば、身体の溝に沿わされることにより山折状に変形され、身体の溝に容易に入り込ませることが可能である。
【００３５】
＝＝＝実施形態＝＝＝
まず、第実施形態に係る吸収性物品の構成の概要について説明する。本実施形態の吸収性物品は、生理用ナプキンであり、以下では身体に接触する側を表面側とし、下着に接する側を裏面側とし、装着時に人体の前側に位置する端を前端、後側に位置する端を後端として説明する。
【００３６】
図１は、本実施形態に係る吸収性物品の表面側を示す平面図、図２は、本実施形態に係る吸収性物品の裏面側を示す図、図３は、図１におけるＸ−Ｘ断面図、図４は、図１におけるＹ−Ｙ断面図、図５は、本実施形態に係る吸収性物品を示す斜視図、図６は、トップ吸収体を示す平面図、図７（ａ）は、図６におけるＡ−Ａ断面図、図７（ｂ）は、図６におけるＢ−Ｂ断面図、図７（ｃ）は、図６におけるＣ−Ｃ断面図である。
【００３７】
図示するように、本実施形態における吸収性物品１は所定方向に長い形状をなし、経血等の液体を吸収するためのほぼ長方形状をなす吸収性物品本体としてのベース吸収体１０と、ベース吸収体１０の裏面に設けられた裏面シート３０と、ベース吸収体１０の表面に接合され、ベース吸収体１０の長手方向と交差する幅方向における中央に長手方向に沿って配置された吸収体としてのトップ吸収体２０と、を備えている。裏面シート３０は、ベース吸収体１０及びトップ吸収体２０に吸収されるべき液体の裏面側への漏れを防止するために設けられている。尚、吸収性物品１の外縁部は、熱融着するラウンドシール加工が施されている。本実施形態においては、トップ吸収体２０のベース吸収体１０と対向する対向側は、トップ吸収体２０の裏面側に相当し、トップ吸収体２０のベース吸収体１０と対向しない反対向側が表面側に相当する。
【００３８】
本実施形態の吸収性物品１では、吸収性物品１の幅方向における中心線上であって、長手方向における中央より前端側に、身体排泄口部位が吸収性物品１に当接することが想定される身体排泄口部位当接想定位置Ｚが位置している。すなわち、吸収性物品１は、身体排泄口部位当接想定位置Ｚから後端側の長さが身体排泄口部位当接想定位置Ｚから前端側の長さより長く形成されている。
【００３９】
ベース吸収体１０は、シート状のパルプを粉砕した粉砕パルプと高吸収性ポリマーと熱融着性繊維とを有する吸収体素材１２ａを、例えばティッシュペーパー等の薄葉紙（不図示）にて所定の厚さのシート状に包んだ他の吸収体としての吸収体基材１２と、吸収体基材１２の表面であって幅方向の中央部分に貼り付けられた表面シート１４とを有している。薄葉紙と表面シート１４とはいずれも液透過性シートである。また、薄葉紙は、高吸収性ポリマーの粒子より目の細かなシートであり、吸収体基材１２から外部に高吸収性ポリマーが漏れることを防止する。表面シート１４は身体に接触する表面側に位置するため、薄葉紙より柔らかなシートが用いられている。
【００４０】
トップ吸収体２０は、ベース吸収体１０より幅が狭く形成され、長手方向の長さは、ベース吸収体１０より少し長く形成されている。トップ吸収体２０もベース吸収体１０と同様に、粉砕パルプと高吸収性ポリマーと熱融着性繊維とからなる吸収部材としての吸収体素材１２ａを有している。トップ吸収体２０には、身体に接触する表面側に、表面シート１４より液体保持力の高い液透過性の中間シート１６が備えられている。中間シート１６は、表面シート１４より密度が高く表面張力による吸収性が高い部材であり、表面シート１４の内側に中間シート１６を設けることにより、表面シート１４に浸透した液体を、表面シート１４より液の引き込み性が高い中間シート１６側に移動させるように機能している。
【００４１】
そして、吸収体素材１２ａと中間シート１６とは、中間シート１６が設けられて身体に接触する表面側から長手方向と交差する幅方向に巻き込むように表面シート１４により包まれ、巻き込まれた表面シート１４が吸収体素材１２ａの裏面側にて重ね合わせられるとともに、接着剤２３にて貼り合わされている。このため、トップ吸収体２０は、裏面側で表面シート１４が重ね合わされ、さらに接着されることにより、裏面側の剛性が高くなるとともに裏面側の表面シート１４の幅方向への伸縮が抑制される。すなわち、トップ吸収体２０は、表面側の部位が裏面側の部位より伸長し易いように形成されている。図４、図７、図９においては、便宜上、中間シート１６を太線、または太い破線にて示している。
【００４２】
また、トップ吸収体２０の幅方向における中央部には、後端側のほぼ半分の領域に長手方向に沿って、図７（ｂ）に示すように、吸収体素材１２ａの量を他の部位より少なくした薄肉部１２ｂが形成されている。
【００４３】
トップ吸収体２０の前端２０ａ部及び後端２０ｂ部には、表面シート１４のみが折り畳まれ、畳まれた表面シート１４の間に接着剤２３が介在された状態でエンボス加工が施されて補強された補強部２５、２６が形成されている。この補強部２５、２６には吸収体素材１２ａ及び中間シート１６は存在しない。
【００４４】
また、トップ吸収体２０の後端２０ｂ側の補強部２５における吸収体素材１２ａ側の部位２５ｂであってベース吸収体１０と対向する位置には、使用時にトップ吸収体２０の後端２０ｂ側を下着に固定するためのフック材２２が設けられている。このフック材２２は、例えば、メカニカルファスナーの雄材である。
【００４５】
トップ吸収体２０は、ベース吸収体１０上に、トップ吸収体２０の長手方向がベース吸収体１０の長手方向に沿わされて配置されている。そして、トップ吸収体２０の一方の端部としての前端２０ａ側は、補強部２６とベース吸収体１０との間にホットメルト系接着剤を介して圧着されることにより本接合され、他方の端部としての後端２０ｂ側はベース吸収体１０から離間可能に形成されている。また、未使用時には、トップ吸収体２０の後端２０ｂ側の補強部２５は、ベース吸収体１０との間に接着剤が介在されることなく圧着されることにより仮接合されている。ここで本接合とは、トップ吸収体２０とベース吸収体１０とを故意に分離させようとすると、トップ吸収体２０とベース吸収体１０の少なくともいずれか一方の破損を伴うことが余儀なくされる程度に強固に接合されている状態を示し、仮接合とは、ベース吸収体１０及びトップ吸収体２０の機能を損なうことなく、使用者がトップ吸収体２０をベース吸収体１０から剥離して容易に分離することができる程度に接合されている状態を示している。
【００４６】
トップ吸収体２０がベース吸収体１０に仮接合された状態で、トップ吸収体２０の後端２０ｂはベース吸収体１０の後端より後方に突出している。補強部２５がベース吸収体１０から突出している部位は、吸収性物品１を装着する際などに使用者が摘むための把持部２５ａとなる。ここで、ベース吸収体１０とトップ吸収体２０の後端２０ｂ側の補強部２５とが重ねられた部位はエンボス加工により圧着されて仮接合されているが、フック材２２も、未使用時にトップ吸収体２０の後端２０ｂ側とベース吸収体１０の表面シート１４とを仮接合すべく機能する。なお、仮接合するためにフック材２２を用いることを記載しているが、仮接合の方法は、エンボス加工による圧着のみでも、また、フック材２２の代わりに接着してもよく、これらに限るものではない。
【００４７】
裏面シート３０は、ポリエチレンやポリプロピレン等の熱可塑性かつ液不透過性のシートである。裏面シート３０は、ベース吸収体１０より十分に広く形成され、幅方向の両側には、長手方向において身体排泄口部位当接想定位置Ｚを中心とする所定領域に、幅方向外側に延出された保持部３２が形成されている。裏面シート３０の裏面側であって、表面側にベース吸収体１０が存在する領域付近と保持部３２とには、接着剤３５を介して剥離シート３４（図２、図９）が設けられている。
【００４８】
吸収性物品１の使用時には、剥離シート３４が剥がされて裏面シート３０が下着の内側に当接されると共に、保持部３２が外側に折り返されて下着の外面に当接され、裏面シート３０と下着との間に介在された接着剤３５により、吸収性物品１が下着に保持される。なお、剥離シート３４には剥離剤が塗布されているので、接着剤３５を裏面シート３０に残した状態で剥離シート３４を裏面シート３０から容易に剥がすことが可能である。
【００４９】
本実施形態においては、シート部材としての裏面シート３０をポリエチレンやポリプロピレン等の熱可塑性かつ液不透過性のシートとしたが、熱可塑性かつ液不透過性のシートを含み、例えば薄葉紙や不織布等が積層されたシート状の部材としてもよい。
【００５０】
次に、包装された形態の吸収性物品１について説明する。図８は、包装される吸収性物品が折り畳まれる工程を説明するための図であり、図８（ａ）は、折り畳まれる前の吸収性物品の状態を示す図、図８（ｂ）は、第１折り位置にて折り曲げられる吸収性物品を示す図、図８（ｃ）は、第２折り位置にて折り曲げられる吸収性物品を示す図、図８（ｄ）は、第３折り位置にて折り曲げられる吸収性物品を示す図である。
【００５１】
吸収性物品１は、保持部３２が表面側に折り曲げられると共に、両側の保持部３２と裏面側とにそれぞれ、接着剤３５を覆う剥離シート３４が設けられている。剥離シート３４が設けられた状態の吸収性物品１は、裏面側に配置された長方形状の包装シート３６とともに、搬送されつつ長手方向における３カ所にて折り畳まれる。このとき、ベース吸収体１０とトップ吸収体２０とは、重ねられた状態で、トップ吸収体２０が内側に位置するように表面側に折り曲げられて畳まれる。
【００５２】
具体的には、吸収性物品１および包装シート３６は、折り畳まれる際に、長手方向が搬送方向と交差するように向けられて搬送台（不図示）上を搬送される。搬送される吸収性物品１および包装シート３６は、第１折り位置にて、搬送方向と交差する方向に沿わされた軸にて回動する第１円盤６０と搬送台との間に挟まれ、第１円盤６０より吸収性物品１の後端側に設けられたガイド部材（不図示）により第１折り位置から曲げ起こされる。ガイド部材は、第１円盤６０付近から搬送方向の前方側に向かって曲げ角度が大きくなるように形成されており、吸収性物品１および包装シート３６は、搬送されつつ徐々に大きく曲げ起こされることにより折り畳まれる。
【００５３】
第１折り位置にて折り畳まれた吸収性物品１および包装シート３６は、第２折り位置に合わせて第２円盤６２が配置された位置まで搬送される。そして、吸収性物品１および包装シート３６は、第２円盤６２と搬送台との間に挟まれ、第２円盤６２に対し既に折り曲げられた側に設けられたガイド部材（不図示）により第２折り位置から曲げ起こされる。ガイド部材は、第２円盤６２付近から搬送方向の前方側に向かって曲げ角度が大きくなるように形成されており、吸収性物品１および包装シート３６は、搬送されつつ徐々に大きく曲げ起こされることにより折り畳まれる。
【００５４】
第２折り位置にて折り畳まれた吸収性物品１および包装シート３６は、第３折り位置に合わせて第３円盤６４が配置された位置まで搬送される。そして、吸収性物品１および包装シート３６は、第３円盤６４と搬送台との間に挟まれ、第３円盤６４に対し吸収性物品の前端側に設けられたガイド部材（不図示）により第３折り位置から曲げ起こされる。ガイド部材は、第３円盤６４付近から搬送方向の前方側に向かって曲げ角度が大きくなるように形成されており、吸収性物品１および包装シート３６は、搬送されつつ徐々に大きく曲げ起こされることにより折り畳まれる。
【００５５】
このように、３回の折り曲げ工程を経て、吸収性物品１は折り畳まれるとともに包装シート３６により包まれた状態となる。そして、包装シート３６における吸収性物品１の後端１ｂ側の端部（以下、包装シート３６の後端３６ｂという）は、吸収性物品１より長く延出されて接着剤が僅かに塗布されており、吸収性物品１と共に包装シート３６を折り曲げた際にトップ吸収体２０の表面側に折り畳まれた保持部３２に設けられた剥離シート３４の剥離処理されていない側に極弱い接着力で接着される。また、包装シート３６における前端３６ａ側に設けられたリードテープ３８が、吸収性物品１とともに既に折り曲げられている後端３６ｂ側の包装シート３６の外面に貼り付けられている。吸収性物品１とともに折り畳まれた包装シート３６は、その長手方向における縁部３６ｃが接着されて封止され、袋状となった包装シート３６内に吸収性物品１が収容された状態で使用者に供給される。
【００５６】
図９は、使用前の吸収性物品の状態を示す斜示図である。  
吸収性物品１は、包装シート３６内に収容された状態で使用者に供給され、使用者によりリードテープ３８が剥がされ包装シート３６が開かれると吸収性物品１の前端１ａが露出される。露出された吸収性物品１の前端１ａと、リードテープ３８が付いた包装シート３６とが引き剥がされることにより、吸収性物品１が容易に取り出されるように構成されている。
【００５７】
取り出された吸収性物品１は、裏面側の剥離シート３４が剥がされて下着の任意の位置に配置される。そして、保持部３２の剥離シート３４が剥がされて下着側に折り返され、下着の外側に接着剤３５にて貼着することにより下着に固定される。吸収性物品１が固定された下着が身体側に引き上げられた後、使用者により把持部２５ａが把持されてトップ吸収体２０が引き上げられることにより、ベース吸収体１０とトップ吸収体２０との仮接合が解除されてベース吸収体１０からトップ吸収体２０の後端２０ｂ側が離間される。
【００５８】
その後、使用者が把持部２５ａを長手方向（ほぼ上下方向）に移動させることにより、トップ吸収体２０が身体排泄口部位及び身体排泄口部位近傍の身体の溝に密着するようにトップ吸収体２０の位置が調整される。トップ吸収体２０が位置調整された状態で、下着の後ろ身頃の肌側表面もしくは下着の縁部にて折り曲げられて固定される。これにより、トップ吸収体２０は使用者の身体の前方側から身体の溝に沿って後方側に至るように密着されて配置されることにより身体に好適に当接された状態でトップ吸収体２０が位置決めされ、ベース吸収体１０は身体の溝のほぼ外側であって下方に位置される。
【００５９】
ところで、上記のような、ベース吸収体１０とトップ吸収体２０とが重ねられるとともに長手方向における前端２０ａ側が接合され、トップ吸収体２０を人体の臀部の溝に入り込むようにトップ吸収体２０の後端２０ｂを引き上げて、トップ吸収体２０を臀部等の溝に挟み込んで使用する吸収性物品１は、トップ吸収体２０の幅が狭い方が臀部等の溝に挟み込み易い。しかしながら、本来経血を吸収させる目的で使用するものだから、トップ吸収体２０の幅が狭い場合には、吸収容量が小さくなってしまう。また、包装された吸収性物品１を開いた際に使用者の目に入るトップ吸収体２０の幅が狭い場合には、使用者に経血が漏れることに対する不安感を与える畏れがある。このため、上記実施形態の吸収性物品１は、未使用時、すなわち、包装を開いた状態ではトップ吸収体２０の幅が装着時より広く形成されており、装着する際に幅方向に折り曲げられて幅が狭くなるように構成されている。
【００６０】
ところが、装着時より幅が広く形成されたトップ吸収体は、単に後端部を引き上げただけでは、臀部等の溝に適切に挟み込めない畏れがある。そこで、本実施形態の吸収性物品１は、トップ吸収体２０の吸収体素材１２ａと中間シート１６とを包む表面シート１４を、表面側から長手方向と交差する幅方向に巻き込むよう包み、裏面側にて重ね合わせて接着剤２３にて貼り合わせた構成としている。本構成により、トップ吸収体２０は、裏面側の部位の剛性が表面側の部位の剛性より高くなり、表面側の部位が裏面側の部位より伸長し易いようになっている。
【００６１】
図１０は、吸収性物品が装着される様子を説明するための図である。  
図１０に示すように、後端２０ｂ部がベース吸収体１０に仮接合されているトップ吸収体２０は、引き上げることにより後端２０ｂがベース吸収体１０から分離される。そして、トップ吸収体２０を身体の溝に沿わせていくと、トップ吸収体２０は屈曲しつつ溝内に入り込んでいく。このとき、身体（臀部）の溝は凹になっているので、トップ吸収体２０を持ち上げることで、トップ吸収体２０は溝の凹に対して凸（山折）になる。しかし、個人差はあるがお尻は柔らかいため、トップ吸収体２０自体が身体の凹に対して柔軟に凸形状に変形できなければ、トップ吸収体２０は平面状態でお尻に当接されることになり、溝の両脇の肉の持ち上げてしまい身体の凹（溝）に進入しにくい。このため、トップ吸収体２０は、引き上げることにより、柔らかなお尻の凹に対して凸状に柔軟に変形しつつ溝に進入できるように表面側が裏面側に対して伸びやすい方が良い。
【００６２】
また、トップ吸収体２０の幅方向における中央部には、後端２０ｂ側のほぼ半分の領域に長手方向に沿って薄肉部１２ｂが形成されているので、トップ吸収体２０の幅方向におけるほぼ中央にてトップ吸収体２０を長手方向に沿って表面側が山となって連なるように屈曲させることが可能である。このため、トップ吸収体２０の吸収体素材１２ａを身体の溝に対してほぼ均等に配置させることが可能である。そして、吸収体素材１２ａを溝に対してほぼ均等に配置させることにより、屈曲された吸収体素材１２ａに吸収される経血が偏り難いため、より多くの経血を吸収させることが可能である。
【００６３】
すなわち、本実施形態の吸収性物品１によれば、未使用状態におけるトップ吸収体２０の幅を装着時より広く形成することにより、あらかじめ身体の溝に合うように幅が狭く形成された吸収体より吸収容量を大きくするとともに使用者に対し吸収容量への安心感を与えることが可能である。このとき、トップ吸収体２０を、表面側の部位が裏面側の部位より伸長し易いように形成しておくことにより、装着時にトップ吸収体２０を山形状に屈曲させて容易にかつ確実に臀部３に入り込ませることが可能である。
【００６４】
本実施形態の吸収性物品１に適した、トップ吸収体２０の表面側の部位と裏面側の部位との伸長し易さは、たとえば、表面シート１４の表面側における幅方向の５％伸度強度が、裏面側における幅方向の５％伸度強度に対して８０％以下であり、さらに、表面シート１４の表面側における幅方向の５％伸度強度を、３Ｎ／２５ｍｍ未満とすることが望ましい。ここで、５％伸度強度とは、表面シート１４を引っ張って５％伸長した際の荷重を示す値である。また、幅方向の５％伸度強度にて基準の値を示したのは、身体の溝に挿入されるトップ吸収体２０が表面側に突出するような凸型に変形する際には、肌側（表面側）の表面層は約３〜２０％、非肌側（裏面側）の表面層より伸ばされる。すなわち、比較的低伸度での引っ張り強度が低いことが求められるからである。また、幅方向の５％伸度強度が３Ｎ／２５ｍｍ以上の場合には、トップ吸収体２０を身体の溝に入れる際に、表面側に突出するように変形しづらく、ユーザーに違和感を与えてしまう畏れがあることも考慮している。このため、表面シート１４の表面側における幅方向の５％伸度強度を、裏面側における幅方向の５％伸度強度に対して８０％以下とし、さらに、表面シート１４の表面側における幅方向の５％伸度強度を３Ｎ／２５ｍｍ未満とすることにより、表面側と裏面側とに明確な差が生じトップ吸収体２０を表面側に突出するように容易に屈曲させることができると考えられる。
【００６５】
また、好ましくは、表面シート１４の表面側における幅方向の５％伸度強度を裏面側における幅方向の５％伸度強度に対して６０％以下とし、さらに、表面シート１４の表面側における幅方向の５％伸度強度を２Ｎ／２５ｍｍ未満または１．２Ｎ／２５ｍｍ未満とすることにより、トップ吸収体２０を表面側に突出するようにさらに容易に屈曲させることが可能である。さらには、表面シート１４を幅方向に０〜２０％伸長した際の伸度強度が３Ｎ／２５ｍｍ未満であることがより好ましい。
【００６６】
そして、上記のような伸度強度を達成しつつ、肌との接触性を考慮した素材としては、例えばエアースルー不織布が好ましく、その目付は２０〜８０ｇ／ｍ２の範囲が好ましいが、これに限るものではない。また、表面シート１４の肌側表面層は、全体が上記数値範囲の伸度強度を有していなくともよく、部分的に引っ張り強度が低い部位が設けられていてもよい。例えば、トップ吸収体２０の幅方向における中央部に長手方向に沿って、幅方向に伸びやすいように畝状や溝状に加工を施しておいても良い。
【００６７】
また、トップ吸収体２０を表面側に突出するように容易に屈曲させる構成は、上述したように、トップ吸収体２０が、ベース吸収体１０に長手方向における前端２０ａ部が剥離不能に接合され、後端２０ｂ部が剥離可能に仮接合されている吸収性物品１に特に適している。
【００６８】
このような吸収性物品１によれば、トップ吸収体２０の前端２０ａが本接合されているので、後端２０ｂをベース吸収体１０から剥離させて、後端２０ｂ側をベース吸収体１０から離した状態で使用することが可能な吸収性物品１を製造することが可能である。このため、トップ吸収体２０をベース吸収体１０から分離させて臀部３の溝にはいりこませて使用する吸収性物品１により適している。すなわち、トップ吸収体２０とベース吸収体１０とが単に重ねられている吸収性物品ではなく、トップ吸収体２０をベース吸収体１０から分離させて身体の溝に入り込ませて使用する本実施形態の吸収性物品１に特に適している。
【００６９】
また、トップ吸収体２０は、吸収体素材１２ａが表面シート１４に包まれているので、吸収体素材１２ａを包む表面シート１４を裏面側にて重ねあわせて接着することにより、他の部材を追加することなく、トップ吸収体２０の裏面側を表面側より剛性を高くすることが可能である。このため、吸収体素材１２ａを表面シート１４にて包むだけで、表面側を突とする山形状に屈曲し易いトップ吸収体２０を形成することが可能である。
【００７０】
さらに、トップ吸収体２０に、吸収体素材１２ａの厚みを薄くした薄肉部１２ｂを長手方向に沿って設けたので、トップ吸収体２０が臀部３等に押圧された際には、トップ吸収体２０を臀部３の溝に沿って幅方向屈曲させ容易に幅を狭く変形させることが可能である。このとき、薄肉部１２ｂを長手方向の全領域のうち、後端２０ｂ側に偏らせて設けたので、後端２０ｂ側をより屈曲させて臀部３の溝に確実に入り込ませることを可能とし、経血が流出する付近では比較的平坦な状態で身体と接触させることが可能である。このため、経血が、より漏れにくいより吸収性物品１を提供することが可能である。さらに、薄肉部１２ｂは幅方向の中央に設けられているので、トップ吸収体２０を幅方向における中央にて屈曲させることが可能であり、トップ吸収体２０を経血等の流出部及び溝に対し幅方向にバランス良く配置させることが可能であり、経血等をより効率よく吸収させることが可能である。
【００７１】
本実施形態においては、薄肉部１２ｂを設けた例について説明したが、薄肉部１２ｂは必ずしも必要ではなく、トップ吸収体２０は表面側の部位が裏面側の部位より伸長し易いように形成することにより、表面側を突とする山形状に屈曲し易いトップ吸収体２０を形成することが可能である。
【００７２】
＜トップ吸収体の変形例＞
上記実施形態においては、トップ吸収体２０の吸収体素材１２ａと中間シート１６とを包む表面シート１４を、裏面側にて重ね接着剤２３にて貼り合わせた構成として、トップ吸収体２０の表面側の部位が裏面側の部位より幅方向に伸長し易いようにしたが、トップ吸収体の表面側の部位が裏面側の部位より幅方向に伸長し易いような構成とする方法はこれに限らない。
【００７３】
図１１は、トップ吸収体の第１変形例を示す図である。  
図１１に示すように、トップ吸収体５０において、吸収体素材１２ａを包む、表面シート１４、または、表面シート１４と中間シート１６とに、幅方向に伸長される皺、所謂ギャザー１２ｃを設けてもよい。このとき、トップ吸収体５０に設けるギャザー１２ｃは、表面側のみに設けても良いし、側部及び裏面側にも設けても良いが、ギャザー１２ｃが設けられている領域を、幅方向において表面側の部位の方が裏面側の部位より広く設けることにより、トップ吸収体５０の表面側の部位が裏面側の部位より幅方向に伸長し易いような構成とすることが可能である。
【００７４】
また、図１２〜図１４に示すように、トップ吸収体の裏面側に、トップ吸収体に吸収された液体が裏面側から漏出することを防止するための防漏シート１８を備えることにより、表面側の部位が裏面側の部位より幅方向に伸長し易いような構成としても良い。
【００７５】
図１２は、トップ吸収体の第２変形例を示す図である。図１３は、トップ吸収体の第３変形例を示す図である。図１４は、トップ吸収体の第４変形例を示す図である。
【００７６】
防漏シート１８は、たとえばベース吸収体１０の裏面に設けられた裏面シート３０と同様のポリエチレンやポリプロピレン等の熱可塑性かつ液不透過性のシートであり、液体の浸透性が高い不織布からなる表面シート１４及び中間シート１６より伸縮性が小さいシートである。そして、防漏シート１８は、機能上トップ吸収体の表面側の広い領域には設けられない一方で、裏面側には全域に設けられていることが望ましい。このため、表面シート１４及び中間シート１６より伸縮性の低い防漏シート１８が、表面側より裏面側において広い領域に設けられている図１２〜図１４に示すようなトップ吸収体５１、５２、５３は表面側の部位が裏面側の部位より幅方向に伸長し易いような構成となる。
【００７７】
図１２に示すトップ吸収体５１は、吸収体素材１２ａの表面側における幅方向の端部から表面シート１４における幅方向の端部近傍まで、表面シート１４とともに防漏シート１８を備え、吸収体素材１２ａの裏面側では、表面シート１４と防漏シート１８とを重ねた状態で幅方向に吸収体素材１２ａを巻き込むように包み、表面シート１４と防漏シート１８との両端部を重ね合わせて接着剤２３にて貼り合わせた構成としている。この場合には、トップ吸収体５１の表面側には、防漏シートが設けられている領域はほとんどなく、裏面側では表面シート１４及び防漏シート１８がほぼ全域に亘って２枚ずつ重ねられ、さらに各々が接着されている。このため、トップ吸収体５１の表面側を裏面側と比較し、幅方向により伸長し易い構成とすることが可能である。
【００７８】
また、図１３に示すトップ吸収体５２は、吸収体素材１２ａの裏面側に設けられた防漏シート１８が、吸収体素材１２ａの側部まで巻き込むように設けられており、表面側に設けられている表面シート１４は、防漏シート１８の幅方向における端部と重なるように設けられて、表面シート１４と防漏シート１８の端部同士が接着されて形成されている。このため、裏面側に設けられる表面シート１４は、幅方向における僅かな領域のみに存在する。このようなトップ吸収体５２の場合には、表面シート１４及び中間シート１６と防漏シート１８とが各々有する素材の伸縮特性の相違により、トップ吸収体５２の表面側を裏面側と比較して、幅方向により伸長し易い構成としている。このため、前述したトップ吸収体５１のように、裏面側にて、表面シート１４及び防漏シート１８が重ね合わせられた場合より、裏面側の部位の剛性を低くすることが可能である。すなわち、裏面側の部位の剛性が、表面側の部位の剛性より極端に高くなることを防止することが可能である。
【００７９】
また、図１４に示すトップ吸収体５３は、吸収体素材１２ａの表裏面側に、それぞれ１枚ずつ配置された表面シート１４が側部にて接着されており、裏面側に配置された表面シート１４と吸収体素材１２ａとの間に全域に亘って防漏シート１８が設けられている。この場合には、トップ吸収体５３の裏面側に設けられた防漏シート１８により、表面側の部位を裏面側の部位より、幅方向において伸長し易い構成とすることが可能である。このとき、裏面側の表面シート１４と防漏シート１８とを接着することにより、表面側を裏面側と比較し、幅方向により伸長し易い構成とすることが可能である。
【００８０】
上述したトップ吸収体の第１〜第４変形例では、薄肉部について言及していないが、薄肉部１２ｂが設けられた上記実施形態のトップ吸収体２０と同様に薄肉部を備えた構成としても良い。
【００８１】
上記実施形態においては、吸収性物品本体としてのベース吸収体１０が吸収体基材１２と表面シート１４とを有していたが、吸収性物品本体は、必ずしも吸収体基材１２を有していなくともよい。
【００８２】
図１５は、吸収性物品１の第１変形例を示す平面図である。たとえば、図示するように、第１変形例の吸収性物品２は所定方向に長い形状をなし、吸収性物品本体としての表面シート１４と、表面シート１４の一方の面としての裏面側に設けられ、トップ吸収体２０に吸収されるべき液体の裏面側への漏れを防止するためのシート部材としての裏面シート３０と、表面シート１４の表面に接合され、表面シート１４の幅方向における中央に長手方向に沿って配置された吸収体としてのトップ吸収体２０と、を備えている。このとき、吸収性物品本体は表面シート１４のみならず、表面シート１４の他にシート状の部材を積層した部材を吸収性物品本体としてもよい。
【００８３】
上記実施形態においては、トップ吸収体２０の前端２０ａ側がベース吸収体１０に本接合されて、トップ吸収体２０とベース吸収体１０とが一体となった吸収性物品１について説明したが、トップ吸収体２０とベース吸収体１０とは剥離可能に仮接合されており、ユーザーが必要に応じて、トップ吸収体２０をベース吸収体１０に接合した状態にて装着しても良いし、トップ吸収体２０を取り外してベース吸収体１０のみを装着しても良い。
【００８４】
図１６は、吸収性物品の第２変形例を示す平面図である。図１７は、吸収性物品の第２変形例を説明するための斜視図である。以下の説明においては、上記実施形態と同一構成部分に同一符号を付して重複する説明を省略して述べる。
【００８５】
第２変形例の吸収性物品５は、ベース吸収体１１とトップ吸収体２１との後端１１ｂ、２１ｂ部同士のみならず、前端１１ａ，２１ａ部同士も剥離可能に仮接合されている。  
具体的には、トップ吸収体２１には、上述した実施形態のトップ吸収体２０と異なり、前端２１ａ側のベース吸収体１１と対向する部位に、後端２１ｂ側と同様にフック材２２が設けられている。  
また、ベース吸収体１１は、上述した実施形態のベース吸収体１０と異なり、前端側に、トップ吸収体２１に設けられたフック材２２と接合可能なメカニカルファスナーの雌材、例えばループ材１５が設けられている。
【００８６】
そして、第２変形例の吸収性物品５は、ベース吸収体１１の長手方向に沿ってトップ吸収体２１が重ねられて配置され、ベース吸収体１１の前端１１ａ側のループ材１５にトップ吸収体２１の前端２１ａ側のフック材２２が接合されるとともに、ベース吸収体１１及びトップ吸収体２１の後端１１ｂ、２１ｂ側は前記実施形態の吸収性物品１と同様に仮固定されている。ところで、トップ吸収体２１の前端２１ａ側のフック材２２を、後端２１ｂ側と同様にベース吸収体１１の表面シート１４に固定することも可能である。しかしながら、表面シート１４には肌触りを良くするために風合いのよい不織布を用いることがあり、風合いのよい不織布は繊維の交差強度が低く、高い接合強度が得られない畏れがある。そして、ベース吸収体１１とトップ吸収体２１との前端１５、２１ａ側の接合部は、使用時にも接合された状態で装着されるため、後端１１ｂ、２１ｂ側より高い接合強度が要求される。このため、ベース吸収体１１の前端１１ａ側接合部にはループ材１５を用いて、ベース吸収体１１とトップ吸収体２１とを剥離可能としつつもトップ吸収体２１との高い接合強度を確保している。
【００８７】
また、トップ吸収体２１が取り外された際には、ループ材１５によって接合位置が示されることになる。このため、トップ吸収体２１を接合しようとするユーザーに視覚的に接合位置がわかりやすいように、例えば表面シート１４と色調の異なるループ材１５を用いることが望ましい。
【００８８】
第２変形例においては、ベース吸収体１１側にループ材１５を、トップ吸収体２１側にフック材２２を設けた例について説明したが、ベース吸収体１１側にフック材２２等の雄材を、トップ吸収体２１側にループ材１５等の雌材を設けても構わない。
【００８９】
第２変形例の吸収性物品５によれば、必要に応じて、ベース吸収体１１とトップ吸収体２１とを接合した状態で装着したり、トップ吸収体２１をベース吸収体１１から取り外した状態で装着することを選択することが可能である。例えば、吸収すべき液体が多い場合には、ベース吸収体１１とトップ吸収体２１とを接合した状態で、トップ吸収体２１を臀部の溝に入り込ませて使用し、吸収すべき液体が少ない場合には、ベース吸収体１１からトップ吸収体２１を外した状態でベース吸収体１１のみを使用することが可能である。このため、吸収すべき液体の量に対応すべく複数種類の吸収性物品を備えることなく単一の吸収性物品５にて対応させることが可能である。
【００９０】
さらに、第２変形例のベース吸収体１１におけるループ材１５が設けられている部位に、ループ材１５の代わりに粘着材を塗布して剥離シートにて覆い、その上に接合されていないトップ吸収体２０を重ねて配置してユーザーに供給しても良い。このときにも、粘着材の色調を表面シート１４の色調と異ならせることが望ましい。また、トップ吸収体２０の前端２０ａ側のベース吸収体１０と対面する部位に粘着材を塗布して剥離シートにて覆い、トップ吸収体２０を固定すべき領域を明示したベース吸収体上に重ねて配置してユーザーに供給しても良い。この場合には、トップ吸収体２０をベース吸収体１０に接合することなく重ね合わせた状態で、図８に示すような包装処理を施し、互いに別体のトップ吸収体２０とベース吸収体１０とを単一の包装シート３６にて包装してユーザーに供給される。
【００９１】
上記実施形態においては、説明の便宜上、ベース吸収体１０が幅方向の中央に１つの吸収体基材１２を備える構成について説明したが、これに限るものではない。例えば、ベース吸収体１０における幅方向の両端部に、それぞれ、長手方向に沿って側部吸収体を備える構成としてもよい。また、側部吸収体に代えて、前記両端部のそれぞれに立体ギャザーを備える構成としてもよい。
【００９２】
また、上記実施形態では、トップ吸収体の吸収体素材１２ａと中間シート１６との外周を表面シート１４が包んでおり、トップ吸収体の両端側には、表面シート１４のみが折り畳まれて接着された状態でエンボス加工が施されて補強部２５、２６が形成されている例について説明したが、トップ吸収体は、補強部２５、２６にも吸収体素材１２ａが存在しても構わない。
【００９３】
さらに、上記実施形態においては、トップ吸収体２０の前端２０ａ側が補強部２６にて本接合されている例について説明したが、本接合される部位は補強部２６のみならず、補強部２６の後ろ側端部を超えて、トップ吸収体２０の吸収体素材１２ａが存在する部位まで本接合されていても良い。
【００９４】
また、上記実施形態においては、吸収性物品１の装着時に、トップ吸収体２０が身体の溝に密着するように位置調整された状態で、トップ吸収体２０を固定するためのフック材２２を、トップ吸収体２０の後端側に設けた例について説明したが、フック材２２のようなトップ吸収体を固定するための部材は、必ずしも備えなくともよい。この場合には、トップ吸収体を身体の溝に入り込ませることにより、トップ吸収体が挟み込まれて身体の溝に保持される。また、上記実施形態では、使用時にトップ吸収体の後端側をフック材２２にて下着に固定する例について説明したが、フック材２２の位置を長手方向の中央側、すなわち、吸収性物品１を装着した際に、フック材２２がベース吸収体１０と対向するように配置して、フック材２２をベース吸収体１０に固定することとしてもよい。
【００９５】
また、上記実施形態においては、トップ吸収体２０がベース吸収体１０及び裏面シート３０等とともに供給される吸収性物品１について説明したが、トップ吸収体２０は、例えば単体の吸収体として提供され、ベース吸収体相当の従来の生理用ナプキン等と重ねて装着される形態であっても良い。この場合には、上述したトップ吸収体２０が、ベース吸収体１０と接合されていない単体の状態で、前端２０ａ側の補強部２６の、生理用ナプキンと対面される側に粘着剤が塗布されるとともに塗布された粘着剤が剥離シートにて覆われて使用者に供給される。そして使用者は、別途用意した従来の生理用ナプキン等の長手方向に単体のトップ吸収体２０を沿わせて配置するとともに、剥離シートを剥がし、単体のトップ吸収体２０の前端２０ａ側を生理用ナプキンの前端側に貼り付ける。そして、貼り付けたトップ吸収体２０の後端部を把持して、トップ吸収体２０を身体の溝に沿わせていくと、トップ吸収体２０は屈曲しつつ溝内に入り込んでいく。このとき、身体（臀部）の溝は凹になっているので、トップ吸収体２０を持ち上げることで、トップ吸収体２０は溝の凹に対して凸（山折）になる。ここで、単体のトップ吸収体２０を生理用ナプキン等に接合する方法は、上述した粘着剤の他、後端側を仮固定しているフック材などのメカニカルファスナーの雄材を用いても良い。この場合には、トップ吸収体２０を接合する生理用ナプキン側にメカニカルファスナーの雌材が設けられていることが望ましいが、生理用ナプキンの表面がＳＭＳ等の不織布により形成されている場合には、単体のトップ吸収体２０の前端側にメカニカルファスナーの雄材が設けられていれば容易に接合することが可能である。
【００９６】
トップ吸収体２０が、単体の吸収体として供給される場合には、例えば、トップ吸収体２０が単体で個別包装され、ユーザーに供給されても良い。図１８は、単体のトップ吸収体の包装方法を説明するための図である。
【００９７】
図１８に示すように、上述した実施形態の吸収性物品１と同様に、第１〜第３折り位置にて３回の折り曲げられる折り曲げ工程を経て、トップ吸収体２０が折り畳まれるとともに包装シート３６により包まれる。  
すなわち、トップ吸収体２０は、図８に示した吸収性物品１が折り畳まれる工程と同様の工程を経て、装着面側が内側に位置するように表面側に折り曲げられて畳まれる。ここでは、図８の吸収性物品１を単体のトップ吸収体２０とみなして説明する。
【００９８】
単体のトップ吸収体２０は、包装シート３６上に載置されて搬送台上を搬送される。搬送されるトップ吸収体２０および包装シート３６は、第１折り位置にて、第１円盤６０と搬送台との間に挟まれて搬送されつつ、第１円盤６０より後端側が徐々に大きく曲げ起こされることにより折り畳まれる。  
その後、第２折り位置に合わせて第２円盤６２が配置された位置まで搬送され、トップ吸収体２０および包装シート３６は、第２円盤６２と搬送台との間に挟まれて搬送されつつ、第２円盤６２より後端側が徐々に大きく曲げ起こされることにより折り畳まれる。  
さらに、第３折り位置に合わせて第３円盤６４が配置された位置まで搬送され、トップ吸収体２０および包装シート３６は、第３円盤６４と搬送台との間に挟まれて搬送されつつ、第３円盤６４より前端側が徐々に大きく曲げ起こされることにより折り畳まれる。
【００９９】
このように、３回の折り曲げ工程を経て、トップ吸収体２０は、単体として折り畳まれるとともに包装シート３６により包まれた状態となる。そして、包装シート３６における前端３６ａ側に設けられたリードテープ３８が、トップ吸収体２０とともに既に折り曲げられている後端３６ｂ側の包装シート３６の外面に貼り付けられる。トップ吸収体２０とともに折り畳まれた包装シート３６は、その長手方向における縁部３６ｃが接着されて封止され、袋状となった包装シート３６内にトップ吸収体２０が収容された状態で使用者に供給される。
【０１００】
このように、個別包装された単体としてのトップ吸収体２０は、複数個をまとめて、さらに包装されてユーザーに供給されてもよいし、個別包装されたトップ吸収体２０と、個別包装されトップ吸収体２０が接合可能なベース吸収体１０とがさらに包装されてユーザーに供給されてもよい。また、トップ吸収体２０と、トップ吸収体２０が接合可能なベース吸収体１０とが各々複数個ずつ単一の包装シートにて包装されて、ユーザーに供給されてもよい。このとき、単一の包装シート内に包装されるトップ吸収体２０とベース吸収体１０との数は一致していなくとも構わない。
【０１０１】
このような単体のトップ吸収体２０は、上述した作用効果に加え、トップ吸収体２０とベース吸収体１０とが一体となった吸収性物品１より小さいため携帯に便利である。すなわち、経血等が多い場合に備えて、トップ吸収体２０とベース吸収体１０とが一体となった吸収性物品１等を携帯することなく、従来の吸収性物品とともに単体のトップ吸収体２０とを携帯することにより、経血の量に応じて対処することが可能である。
【０１０２】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【図面の簡単な説明】
【０１０３】
【図１】本実施形態に係る吸収性物品の表面側を示す平面図である。
【図２】本実施形態に係る吸収性物品の裏面側を示す図である。
【図３】図１におけるＸ−Ｘ断面図である。
【図４】図１におけるＹ−Ｙ断面図である。
【図５】本実施形態に係る吸収性物品を示す斜視図である。
【図６】トップ吸収体を示す平面図である。
【図７】図７（ａ）は図６におけるＡ−Ａ断面図である。図７（ｂ）は図６におけるＢ−Ｂ断面図である。図７（ｃ）は図６におけるＣ−Ｃ断面図である。
【図８】図８（ａ）は、折り畳まれる前の吸収性物品の状態を示す図である。図８（ｂ）は、第１折り位置にて折り曲げられる吸収性物品を示す図である。図８（ｃ）は、第２折り位置にて折り曲げられる吸収性物品を示す図である。図８（ｄ）は、第３折り位置にて折り曲げられる吸収性物品を示す図である。
【図９】使用前の吸収性物品の状態を示す斜示図である。
【図１０】吸収性物品が装着される様子を説明するための図である。
【図１１】トップ吸収体の第１変形例を示す図である。
【図１２】トップ吸収体の第２変形例を示す図である。
【図１３】トップ吸収体の第３変形例を示す図である。
【図１４】トップ吸収体の第４変形例を示す図である。
【図１５】吸収性物品の第１変形例を示す平面図である。
【図１６】吸収性物品の第２変形例を示す平面図である。
【図１７】吸収性物品の第２変形例を示す斜視図である。
【図１８】単体のトップ吸収体の包装方法を説明するための図である。
【符号の説明】
【０１０４】
１  吸収性物品、１ａ  前端、２  吸収性物品、３  臀部、５  吸収性物品、
１０  ベース吸収体、１１  ベース吸収体、１１ａ  前端、１１ｂ  後端、
１２  吸収体基材、１２ａ  吸収体素材、１２ｂ  薄肉部、１２ｃ  ギャザー、
１４  表面シート、１５  ループ材、１６  中間シート、１８  防漏シート、
２０  トップ吸収体、２０ａ  前端、２０ｂ  後端、２１  トップ吸収体、
２１ａ  前端、２１ｂ  後端、２２  フック材、２３  接着剤、２５  補強部、
２５ａ  把持部、２６  補強部、３０  裏面シート、３２  保持部、
３４  剥離シート、３５  接着剤、３６  包装シート、３６ａ  前端、
３６ｂ  後端、３６ｃ  縁部、３８  リードテープ、
５０  吸収性物品、５１  トップ吸収体、５２  トップ吸収体、
５３  トップ吸収体、６０  第１円盤、６２  第２円盤、６４  第３円盤、
Ｚ  身体排泄口部位当接想定位置
【図１】
2008228806.tif 000003
【図２】
2008228806.tif 000004
【図３】
2008228806.tif 000005
【図４】
2008228806.tif 000006
【図５】
2008228806.tif 000007
【図６】
2008228806.tif 000008
【図７】
2008228806.tif 000009
【図８】
2008228806.tif 000010
【図９】
2008228806.tif 000011
【図１０】
2008228806.tif 000012
【図１１】
2008228806.tif 000013
【図１２】
2008228806.tif 000014
【図１３】
2008228806.tif 000015
【図１４】
2008228806.tif 000016
【図１５】
2008228806.tif 000017
【図１６】
2008228806.tif 000018
【図１７】
2008228806.tif 000019
【図１８】
2008228806.tif 000020